(57)【要約】    【課題】動画の表示状態に応じてバクックライトの点滅と常時点灯の動作モードがユーザ操作を必要とすることなく選択設定される。    【解決手段】ディスプレイ装置１２は、液晶パネル４０を照明するバックライト３８を、画像のフレームの切替えに同期して点滅させる動画対応の同期モードとバックライト３８を非同期に点滅させる静止画対応の非同期モードとに切替可能である。動画処理検出部２４は実行中の処理の中からディスプレイ装置１２に動画を表示させる動画処理を検出する。画面状態監視部２６は動画処理検出部２４で検出した動画画面が最大化され且つ最前面に位置することを判別してディスプレイ装置１２に対しバックライト３８の同期モードへの切替えを指示する。    【選択図】      図１
2005195734.tif 000002
【特許請求の範囲】
【請求項１】
分割された複数の表示領域を順次書き替える表示装置を照射し、分割された複数の発光領域を持つ発光装置を制御する発光制御装置において、
前記表示領域の書き替え開始に応じて、前記発光領域を順次点灯する制御を開始する発光制御部を備えることを特徴とする発光制御装置。
【請求項２】
付記1記載の発光制御装置において、前記表示装置が表示する画像が動画であることを特徴とする発光制御装置。
【請求項３】
付記2記載の発光制御装置において、前記表示装置が表示する画像が動画でない場合は、所定の周波数に応じて前記複数の発光領域を同時に点灯制御することを特徴とする発光制御装置。
【請求項４】
付記1記載の発光制御装置において、各発光領域が対応する複数の表示領域の画像変化が収まった後に、前記発光領域を点灯制御することを特徴とする発光制御装置。
【請求項５】
付記１記載の発光制御装置において、表示装置の明るさを、各発光領域の点灯時間で調整することを特徴とする発光制御装置。
【請求項６】
付記１記載の発光制御装置において、前記表示領域の書き替え信号から、各発光領域の点灯制御の基準となる順次書替え信号を生成することを特徴とする発光制御装置。
【請求項７】
付記６記載の発光制御装置において、前記順次書替え信号の所定の変化時には、対応する前記発光領域を消灯し、設定した一定時間後に点灯する制御を行うことを特徴とする発光制御装置。
【請求項８】
分割された複数の表示領域を順次書き替える表示部と、分割された'数の発光領域を持ち、前記表示部を照射する発光部をもつ表示装置において、
前記表示領域の書き替え開始に応じて、前記発光領域を順次点灯する制御を開始する発光制御部を備えることを特徴とする表示装置。
【請求項９】
複数の処理を実行し、かつ表示装置を制御して画像を表示する情報装置において、
実行中の処理の中から、前記表示装置に動画を表示する動画処理を検出する動画処理出部と、
前記動画処理検出部が動画表示を検出した場合には、前記表示装置にちらつきの少ない表示制御を指示する表示制御部と、
を備えることを特徴とする情報装置。
【請求項１０】
コンピュータに、
実行中の処理の中から、表示装置に動画を表示する動画処理を検出する動画処理出部と、
前記動画処理検出部が動画表示を検出した場合には、前記表示装置にちらつきの少ない表示制御を指示する表示制御部と、
を実行させるための表示制御プログラム。
【発明の詳細な説明】
【技術分野】
【０００１】
本発明は、バックライトにより照明される液晶デバイスに動画を表示する発光制御装置、表示装置、表示制御装置及び表示制御プログラムに関し、特に、動画表示と静止画表示に対応してバックライトを点滅又は常時点灯させる発光制御装置、表示装置、表示制御装置及び表示制御プログラムに関する。
【背景技術】
【０００２】
近年、パーソナルコンピュータにおけるバックライト方式の液晶デバイスを用いたディスプレイ装置にあっては、テレビジョン画像など動画再生時の残像感を軽減して表示品質を向上するため、画像のフレームの切替え（垂直同期信号）に同期してバックライトを点滅させる走査点灯システムを備えたものが開発され、その普及が始まっている。
【０００３】
即ち、従来のディスプレイ装置にあっては、フレーム周波数６０Ｈｚで駆動した場合、フレーム周期は１６ｍｓとなるが、液晶の応答速度はそれより遅く、約２５ｍｓであるため、前のフレームの画像が残像として残る問題があった。
【０００４】
この問題を解決するために、フレーム周期で液晶パネルを書替える毎に、液晶パネルの書替えによる画像変化が大きいフレーム周期の前半はバックライトを消灯し、画像変化が終了に近づいたフレーム周期の後半のタイミングでバックライトを点灯するように、液晶パネルの駆動周波数に同期してバックライトを点滅制御している。
【０００５】
このような走査点灯システムを備えたディスプレイ装置にあっては、ディスプレイ装置に設けた釦の操作、又は画面ツールバーの表示条件を設定するダイヤログの中に動画用の同期モードと静止画用の非同期モードを切り替えるラジオ釦のマウス操作などにより、必要に応じてバックライトの動作モードを選択設定できるようにしている。
【０００６】
また近年のパーソナルコンピュータにあっては、テレビチューナを内蔵することにより、テレビジョン放送を受信再生できるようにしており、その場合には、自動的に動画対応のバックライトの動作モードが選択される。
【特許文献１】特開２００１−２１０１２２号
【特許文献２】特開２００２−２８７７００号
【特許文献３】特開２００２−０９１４００号
【特許文献４】特開２００１−３３１１５６号
【発明の開示】
【発明が解決しようとする課題】
【０００７】
しかしながら、このような従来のバックライトの走査点灯システムにあっては、アプリケーションの実行に伴う画像表示については、バックライトの動作モードをユーザが選択設定するようにしていたため、動画を見るために同期モードを設定した場合、動画アプリケーションが終了して静止画に戻るとバックライトのフリッカーによって静止画がちらつくため、同期モードを解除して非同期モードとする必要があり、アプリケーションに応じてバックライトの動作モードを選択し、また解除する操作が煩雑になる問題がある。
【０００８】
また同時に動画を含む複数のアプリケーションを実行しているような場合には、例えば動画を見ている途中で、他のアプリケーションのウィンドウにフォーカスして前画面とする場合もあり、このような場合にバックライトの同期モードをその都度解除するような操作をユーザに要求することには無理があり、結局、フォーカスしたウィンドウの静止画をフリッカー状態で見ることになる不具合がある。
【０００９】
更に従来の動画対応のバックライトの動作モードにあっては、垂直同期信号に同期してバックライトをフレーム周期毎に点滅制御していたため、バックライトの点滅と液晶パネルの画像書替えとがタイミング的に整合しない場合がある。特に液晶パネルを垂直方向で複数領域に分割して順次書替える場合には、垂直同期信号に同期したバックライトの点滅制御では液晶分割領域の書替えタイミングとの調整が複雑化する問題がある。
【００１０】
本発明は、ディスプレイ装置における画像の表示画面状態に応じてバックライトの動作モードがユーザ操作を必要とすることなく選択設定される発光制御装置、表示装置、表示制御装置及び表示制御プログラムを提供することを目的とする。
【００１１】
また本発明は、動画対応のバックライトの動作モードにおいて液晶パネル等の表示部の画像書替えに適切に対応したバックライトの点滅制御を可能とする発光制御装置、表示装置、表示制御装置及び表示制御プログラムを提供することを目的とする。
【課題を解決するための手段】
【００１２】
図１は本発明の原理説明図である。本発明は、発光制御装置を提供する。即ち本発明は、分割された複数の表示領域を順次書き替える表示装置（液晶パネル４０）を照射し、分割された複数の発光領域を持つ発光装置（バックライト３８）を制御する発光制御装置において、表示領域の書き替え開始に応じて、発光領域を順次点灯する制御を開始する発光制御部を備えることを特徴とする。
【００１３】
この発光制御装置において、表示装置が表示する画像が動画である。また発光制御装置において、表示装置が表示する画像が動画でない場合は、所定の周波数に応じて複数の発光領域を同時に点灯制御する。発光制御装置において、各発光領域が対応する複数の表示領域の画像変化が収まった後に、発光領域を点灯制御する。発光制御装置において、表示装置の明るさを、各発光領域の点灯時間で調整する。発光制御装置において、表示領域の書き替え信号から、各発光領域の点灯制御の基準となる順次書替え信号を生成する。この順次書替え信号の所定の変化時には、対応する発光領域を消灯し、設定した一定時間後に点灯する制御を行う装置。
【００１４】
本発明の別の形態にあっては、表示装置を提供する。即ち本発明は、分割された複数の表示領域を順次書き替える表示部と、分割された'数の発光領域を持ち、前記表示部を照射する発光部をもつ表示装置において、表示領域の書き替え開始に応じて、発光領域を順次点灯する制御を開始する発光制御部を備えることを特徴とする。
【００１５】
この表示装置において、表示する画像が動画である。また表示装置において、表示する画像が動画でない場合は、所定の周波数に応じて前記の発光領域を同時に点灯制御する。表示装置において、各発光領域が対応する複数の表示領域の画像変化が収まった後に、発光領域を点灯制御する。表示装置において、表示装置の明るさを、各発光領域の点灯時間で調整する。表示装置において、表示領域の順次書替え信号から、各発光領域の点灯制御信号を生成する。表示装置において、順次書替え信号の所定の変化時には、対応する発光領域を消灯し、設定した一定時間後に点灯する制御を行う。
【００１６】
本発明の別の形態にあっては、情報装置を提供する。即ち本発明は、複数の処理を実行し、かつ表示装置を制御して画像を表示する情報装置において、実行中の処理の中から、表示装置に動画を表示する動画処理を検出する動画処理出部２４と、動画処理検出部２４が動画表示を検出した場合には、表示装置にちらつきの少ない表示制御を指示する表示制御部とを備えることを特徴とする。
【００１７】
この情報装置において、動画処理の表示状態を監視する画面状態監視部２６をさらに備え、動画処理の表示が一定以上の大きさのときに、表示装置にちらつきの少ない表示制御を指示する。情報装置において、動画処理の表示と表示装置の表示領域の大きさが同じときに、表示装置にちらつきの少ない表示制御を指示する。情報装置において、表示制御は、ＶＥＳＡ規格によって規定されるＤＤＣ−２ｂｌ規格に準じて指示する。
【００１８】
本発明の別の形態にあっては、情報制御装置を提供する。即ち本発明は、複数の処理を実行し、かつ表示装置を制御して画像を表示する情報制御装置において、実行中の処理の中から、表示装置に動画を表示する動画処理を検出する動画処理検出部２４と、動画処理検出部２４が動画表示を検出した場合には、表示装置にちらつきの少ない表示制御を指示する表示制御部とを備えることを特徴とする。
【００１９】
この情報制御装置において、前記動画処理の表示状態を監視する画面状態監視部２６をさらに備え、動画処理の表示が一定以上の大きさのときに、表示装置にちらつきの少ない表示制御を指示する。情報制御装置において、動画処理の表示と表示装置の表示領域の大きさが同じときに、表示装置にちらつきの少ない表示制御を指示する。情報制御装置において、表示制御は、ＶＥＳＡ規格によって規定されるＤＤＣ−２ｂｌ規格に準じて指示する。
【００２０】
本発明の別の形態にあっては、表示制御プログラムを提供する。即ち本発明の表示制御プログラムは、コンピュータに、実行中の処理の中から、表示装置に動画を表示する動画処理を検出する動画処理出部と、動画処理検出部が動画表示を検出した場合には、表示装置にちらつきの少ない表示制御を指示する表示制御部とを実行させる。
【００２１】
このプログラムにおいて、動画処理の表示状態を監視する画面状態監視部をさらに備え、動画処理の表示が一定以上の大きさのときに、表示装置にちらつきの少ない表示制御を指示する。プログラムにおいて、動画処理の表示と表示装置の表示領域の大きさが同じときに、表示装置にちらつきの少ない表示制御を指示する。プログラムにおいて、表示制御は、ＶＥＳＡ規格によって規定されるＤＤＣ−２ｂｌ規格に準じて指示する。
【発明の効果】
【００２２】
本発明によれば、アプリケーションにより実行される表示コンテンツに応じてユーザ操作を必要とすることなく、動画表示であればバックライトの同期モードが設定されて画像のフレーム切替えに同期したバックライトの点滅により動画の残像感が軽減して動画の表示品質を高め、静止画表示であればバックライトのフレーム切替と非同期に点滅させて同期モードが解除されないことによる画面のちらつきを防止でき、バックライトの動作につき背反事象となる動画表示時と静止画表示時の画質向上を両立することができる。
【００２３】
また動画を含む複数のアプリケーションの実行中に、動画表示から別のアプリケーションのウィンドウにフォーカスして静止画ウィンドウを前面としたような場合にも、バックライトが同期モードから非同期モードとなってウィンドウ静止画のちらつきを防止して品質向上でき、また元の動画に戻せばバックライトは点滅されて動画品質を向上できる。
【００２４】
本発明のディスプレイ装置は、動画対応の同期モードにおいて、液晶パネルの分割表示領域の順次書替えを制御するデータイネーブル信号に同期したバックライトの点滅制御を行うことで、各分割表示領域毎に、画像書替え開始から輝度調整に応じて決まる時間が経過した画像書替フレーム周期の後半のタイミングでバックライトをオンし、次のフレーム周期の画像書替タイミングでオフするという分割表示領域の画像書替えに適切に同期したバックライトの点滅制御ができ、液晶応答遅れに起因した残像を低減できる。また画像書替えに使用するデータイネーブル信号の分周によりバックライトの点滅制御していることから、点滅制御信号の生成を簡単な回路構成で実現できる。
【００２５】
また静止画対応の非同期モードでの点滅制御の駆動周波数として、フレーム周波数の逓倍周波数となるｎ倍周波数とｎ＋１倍周波数の加算平均周波数とすることで、液晶パネルに表示した静止画に出る縞模様をなくし、画像品質を向上できる。
【発明を実施するための最良の形態】
【００２６】
図２は、本発明による画像表示装置の実施形態となる機能構成のブロック図である。図２において、本発明の画像表示装置はパーソナルコンピュータ１０とディスプレイ装置１２で構成され、ディスプレイ装置１２はパーソナルコンピュータ１０に対しディスプレイコネクトケーブル１４により接続されている。
【００２７】
パーソナルコンピュータ１０とディスプレイ装置１２の構成は、それぞれが別の装置としてケーブル接続されるデスクトップタイプはもちろんのこと、本体とディスプレイが一体化されたノートブックタイプであってもよい。
【００２８】
パーソナルコンピュータ１０には、ＯＳ１５、グラフィックコントローラ１８、通信インタフェース２０が設けられ、ＯＳ１５によって１または複数の動画アプリケーションが実行される。この例では２つの動画アプリケーション１６−１，１６−２が実行されている状態を表している。
【００２９】
動画アプリケーション１６−１，１６−２による動画処理で得られた動画情報は、グラフィックコントローラ１８によりフィールド単位又はフレーム単位の動画画面に変換され、通信インタフェース２０を介してディスプレイ装置１２にＲＧＢの各アナログ信号として送られて表示される。
【００３０】
ディスプレイ装置１２は、通信インタフェース２８、コントローラ３０、信号処理回路３２、液晶ユニット３４及びテレビアンテナ４８が接続されたテレビチューナ４８を備える。
【００３１】
液晶ユニット３４には、バックライト制御回路３６、バックライト３８及び液晶パネル４０が設けられる。バックライト制御回路３６は制御部とインバータ電源を内蔵してバックライト３８を点灯駆動しており、本発明で使用する液晶ユニット３４にあっては、コントローラ３０からの制御信号により、バックライト制御回路３６によるバックライト３８を動画対応の同期モードと静止画対応の非同期モードが切替制御できるようにしている。またバックライト３８の明るさは、バックライトの点滅制御におけるオン周期（オンデューティ）を変化させるＰＷＭ（パルス幅変調）により調光される。
【００３２】
信号処理回路３２はパーソナルコンピュータ１０又はテレビチューナ４８からのＲＧＢ信号をＡ／Ｄ変換して液晶パネル４０に表示させる。またテレビチューナ４８はリモコン受信部を備え、図示しないハンディタイプのテレビコントローラ（リモートコントローラ）からの信号を受信してチャンネル切替えやボリューム調整等に加え、画面の明るさの制御をコントローラ３０に対し行う。
【００３３】
パーソナルコンピュータ１０の通信インタフェース２０とディスプレイ装置１２の通信インタフェース２８を接続するディスプレイコネクトケーブル１４は、ディスプレイ制御信号４２とＲＧＢ信号４４を伝送する。
【００３４】
ディスプレイ制御信号４２の中にはバックライト制御信号が含まれている。ディスプレイ制御信号４２として、この実施形態にあっては、ＲＧＢ信号４４のためのＶＧＡコネクタ（Ｖｉｄｅｏ  Ｇｒａｐｈｉｃｓ  Ａｒｒａｙ）に含まれるＤＤＣライン上のＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規格のＤＤＣ−２ｂｉ規格に従ったコマンドセットをバックライト制御信号として使用している。
【００３５】
ここでＤＤＣ−２ｂｉ規格のコマンドセットにあっては、ディスプレイ装置１２に設けているバックライト３８の動作を画像のフィールドまたはフレームの切替えに同期して点滅させる動画対応の同期モードと、バックライト３８をフレーム切替えと非同期に且つフレーム周期より短い周期で点滅させる静止画対応の非同期モードとに切替制御することができる。
【００３６】
具体的には、バックライト３８の同期モードによる動作はスキャンバックライトオンの１６進オペコードＤＤｈをもつコマンドセットにより指示され、また非同期モードはスキャンバックライトオフの１６進オペコードＤＥｈをもつコマンドセットにより指示される。
【００３７】
このような外部信号によりバックライト３８の動作を同期モードと非同期モードに切替可能なディスプレイ装置１２を備えたパーソナルコンピュータ１０につき、本発明にあっては、動画アプリケーション１６−１，１６−２に対する画像監視を行う常駐プログラムとして動作する画像監視部２２を設けている。
【００３８】
画像監視部２２は、動画処理検出部２４と画面状態監視部２６を備えている。動画処理検出部２４は、ＯＳ１６により実行中の処理の中から、ディスプレイ装置１２に動画を表示させる動画アプリケーション１６−１，１６−２を検出する。画面状態監視部２６は、動画処理検出部２４で検出された動画アプリケーション１６−１，１６−２の表示画面状態に応じて、ディスプレイ装置１２にバックライト３８の同期モードまたは非同期モードを指示する。
【００３９】
即ち画面状態監視部２６は、実行中の動画アプリケーションによるウィンドウが最前面にあり且つウィンドウサイズが最大化されたことを検出して、ディスプレイ装置１２に対しバックライト３８の同期モードを指示する。一方、ディスプレイ装置１２にバックライト３８の同期モードを指示する。
【００４０】
またバックライト３８の同期モードの状態で、実行中の動画アプリケーションのウィンドウサイズが最大サイズから変更されたことまたはウィンドウが最前面から後退したことを検出した場合には、ディスプレイ装置１２にバックライト３８の非同期モードへの切替えを指示することになる。
【００４１】
ここで、画面状態監視部２６によるウィンドウサイズとウィンドウ画面位置の検出は、ＯＳ１５のアプリケーションインタフェース（以下「ＡＰＩ」という）を通じて取得することができる。
【００４２】
ＡＰＩを通じでＯＳ１５から取得された動画のウィンドウ枠の座標は、ディスプレイ表示サイズの座標と比較され、両座標が一致したときに動画のウィンドウサイズが最大化されたことを検出できる。またウィンドウの画面位置についても、ＯＳ１５のＡＰＩを通じて画面位置情報を取得し、最前面か否かを検出することができる。
【００４３】
図１におけるパーソナルコンピュータ１０は、例えば図３のようなコンピュータのハードウェア資源により実現される。図３のコンピュータにおいて、ＣＰＵ１００のバス１０１にはＲＡＭ１０２、ハードディスクコントローラ（ソフト）１０４、フロッピィディスクドライバ（ソフト）１１０、ＣＤ−ＲＯＭドライバ（ソフト）１１４、マウスコントローラ１１８、キーボードコントローラ１２２、グラフィックコントローラ１８、通信用ボード１３０が接続される。
【００４４】
ハードディスクコントローラ１０４はハードディスクドライブ１０６を接続し、本発明の画像監視処理を実行するプログラムをローディングしており、コンピュータの起動時にハードディスクドライブ１０６から必要なプログラムを呼び出して、ＲＡＭ１０２上に展開し、ＣＰＵ１００により実行する。
【００４５】
フロッピィディスクドライバ１１０にはフロッピィディスクドライブ（ハード）１１２が接続され、フロッピィディスク（Ｒ）に対する読み書きができる。ＣＤ−ＲＯＭドライバ１１４に対しては、ＣＤドライブ（ハード）１１６が接続され、ＣＤに記憶されたデータやプログラムを読み込むことができる。
【００４６】
マウスコントローラ１１８はマウス１２０の入力操作をＣＰＵ１００に伝える。キーボードコントローラ１２２はキーボード１２４の入力操作をＣＰＵ１００に伝える。グラフィックコントローラ１８はディスプレイ装置１２に対して表示を行う。通信用ボード１３０は無線を含む通信回線１３２を使用し、ネットワーク内の装置や外部のインタネット上の装置との間で通信を行う。
【００４７】
図４は、本発明のバックライト制御信号として使用されるＶＥＳＡ規格で規定される２Ｂｉ規格のコマンドセットの説明図である。このコマンドセットはオペコード、フィールド、リードライトフラグ、バリューを含み、本発明のバックライト制御信号としては、オペコードが「ＤＣｈ」として示されたディスプレイモードのコマンドセットを使用する。
【００４８】
このコマンドセットにあっては、バリューとしてその説明の欄に示すように０〜４の値を取り、バリュー１はＤＣｈ、バリュー２はＤＤｈ、バリュー３はＤＥｈ、バリュー４はＤＦｈとなる。このうちオペコードがＤＤｈ及びＤＥｈの内容が
２：スキャンバックライトオフ
３：スキャンバックライトオン
となって、前者がバックライトの同期モードのオフ即ち非同期モードを指示し、後者がバックライトの同期モードのオンを指示する。
【００４９】
即ち、図２の画像監視部２２に設けた画面状態監視部２６が、ＯＳ１５により実行中の例えば動画アプリケーション１６−１についてウィンドウが最大化され且つウィンドウが最前面にあることを判別したとき、グラフィックコントローラ１８にバックライトの同期モードを指示する。
【００５０】
これを受けて通信インタフェース２０がディスプレイ制御信号４２の中のバックライト制御信号として、図４の２Ｂｉ規格のコマンドセットに従ったオペコードＤＥｈのスキャンバックライトオンの内容を持つコマンドセットを送信し、これを受けてディスプレイ装置１２のコントローラ３０が液晶ユニット３４に設けているバックライト制御回路３６のオン、オフ制御により、バックライト３８を画像のフレーム周期に同期して点滅させ、動画対応としての液晶パネルの照明を行う。
【００５１】
一方、パーソナルコンピュータ１０の画像監視部２２に設けた画面状態監視部２６で、現在バックライト３８の同期モードとしている動画アプリケーション１６−１について、そのウィンドウが縮小されたり後ろ画面に移動したことなどを検出した場合には、このときディスプレイ装置１２の液晶パネル４０には静止画像が表示されるため、グラフィックコントローラ１８に対し非同期モードへの切替えを指示する。
【００５２】
これを受けて通信インタフェース２０は、ディスプレイ装置１２に対し図４におけるオペコードＤＤｈのスキャンバックライトオフを指示するコマンドセットをディスプレイ制御信号４２として伝送する。この場合、ディスプレイ装置１２のコントローラ３０は、液晶ユニット３４のインバータ３６をフレーム周期とは非同期に且つフレーム周期より短い周期でバックライト３８を点滅させ、静止画対応としての液晶パネルの照明を行う。
【００５３】
図５は、図２の画面状態監視部２６において、ＯＳ１５のＡＰＩを通じてウィンドウに関する情報を取得するためのコマンドの一覧を示している。
【００５４】
図５（Ａ）はＡＰＩに対するウィンドウ情報検索用コマンドの一覧であり、この中のコマンド「ＧｅｔＷｉｎｄｏｗＲｅｃｔ」によって動画ウィンドウの座標を取得することができる。
【００５５】
また図５（Ｂ）はウィンドウ検索用コマンド一覧であり、この中のコマンド「ＧｅｔＦｏｒｅｇｒｏｕｎｄＷｉｎｄｏｗ」によって前景ウィンドウに対するハンドルを返すことによって、ウィンドウの位置を検出することができる。もちろん、実行中の動画画面に関する最大化検出及びウィンドウ最前面の検出は、ＯＳ１５の参照により取得可能な適宜の情報を用いて行うことができる。
【００５６】
図６は、図２のパーソナルコンピュータ１０に設けた画像監視部２２による画像監視処理のフローチャートであり、このフローチャートが常駐プログラムとして動作する画像監視プログラムの処理内容を同時に表している。
【００５７】
図６において、パーソナルコンピュータ１０のＯＳ１５が起動されると、常駐プログラムとしてインストールされている画像監視部２２が実行され、まずステップＳ１でモニタレディをチェックする。
【００５８】
このモニタレディはディスプレイ装置１２からのデバイスステータスをチェックすることで判断できる。ステップＳ１でモニタレディが判別されるとステップＳ２に進み、一方、モニタレディが得られない場合にはステップＳ１３に進み、例外処理を行って処理を終了する。
【００５９】
モニタレディが得られてステップＳ２に進むと、バックライトの動作モードを含む初期値読み込みを行い、ステップＳ３でバックライトの非同期モードを初期設定する。そしてステップＳ４で、ディスプレイ装置１２に対しバックライトの非同期モードを指示する。
【００６０】
次にステップＳ５で、起動中のアプリケーションリストをＯＳ１５からＡＰＩを通じて取得する。続いてステップＳ６で、取得した起動中のアプリケーションの中にバックライト操作対象の動画アプリケーションがあるか否かチェックする。
【００６１】
動画アプリケーションがあればステップＳ７に進み、ＡＰＩを通じてＯＳ１５より動画アプリケーションのウィンドウ枠の座標を取得する。そしてステップＳ８で、取得したウィンドウ枠の座標とディスプレイ表示座標とを比較し、一致する最大サイズか否かチェックする。
【００６２】
最大サイズであればステップＳ９に進み、ＡＰＩを通じてＯＳ１５より同じ動画アプリケーションの画面の位置即ちウィンドウ前後位置に関する情報を取得する。そしてステップＳ１０でウィンドウが最前面であるか否かチェックし、最前面であれば、ステップＳ１１でディスプレイ装置１２に対しバックライトの同期モードを設定して指示する。ステップＳ１１でバックライトの同期モードを指示した後は、ステップＳ６に戻り、ステップＳ６からの処理を繰り返している。
【００６３】
この状態で、現在表示中の動画アプリケーションを停止したり、他の動画アプリケーションを起動してそのウィンドウを最前面としたり、更には動画アプリケーション以外のアプリケーションについて静止画をウィンドウ最前面としたような場合には、ステップＳ８またはステップＳ１０でその状態が判別され、ステップＳ１２に進み、ディスプレイ装置１２に対しバックライトの非同期モードを設定して切替えを指示する。
【００６４】
即ち、ステップＳ８で動画画面が縮小もしくは停止されて最大サイズでなくなった場合あるいはステップＳ１０で動画ウィンドウが最前面でなくなった場合には、ステップＳ１２でバックライトの非同期モードへの切り替えを指示することになる。
【００６５】
このように本発明の画像監視処理にあっては、ディスプレイ装置１２に動画画像を前面表示している場合には自動的にバックライトの同期モードとなって、動画再生時の残像感の軽減が図られ、一方、動画を停止したり動画画面を後ろ画面として静止画面を前画面としたような場合には自動的にバックライトが非同期モードに切り替わり、これによって静止画表示状態での画面のちらつきを軽減することができ、このようなバックライトの動画及び静止画に対応した最適な動作モードは、ユーザが特に意識することなく常に最適なバックライトの動作モードの制御状態が得られることになる。
【００６６】
図７は、本発明の表示制御装置が適用されるディスプレイ装置の組立分解図である。図７において、液晶ディスプレイ装置１２は、液晶パネル４０と、その直下に配置されるバックライト３８で構成される。
【００６７】
液晶パネル４０は、この実施形態にあっては縦方向に６つの分割表示領域５０−１〜５０−６に分割されている。分割表示領域５０−１〜５０−６は液晶パネル４０に対する画像のフレーム周期ごとに、分割表示領域５０−１から分割表示領域５０−６に向けて順番に画像の書替えが行われる。
【００６８】
図８は、図７のバックライト３８の組立分解図である。バックライト３８はフレーム５２、拡散板５４及び本体５６で構成される。本体５６の液晶パネルの直下となる位置には、この実施形態にあっては１２本の冷陰極管６０−１〜６０−１２を縦方向に並べて配置している。
【００６９】
図９は、図２のディスプレイ装置１２に設けているバックライト制御回路３６のブロック図である。バックライト制御回路３６は、制御部３６−１と駆動部３６−２で構成される。制御部３６−１には順次信号発生回路６２、同期制御回路６４、非同期制御回路６６及び切替制御回路６８が設けられている。
【００７０】
順次信号発生回路６２と同期制御回路６４は切替制御回路６８による動画モードの切替えで動作する。一方、非同期制御回路６６は切替制御回路６８による静止画対応の非同期モードで動作する。
【００７１】
動画対応の同期制御を行う順次信号発生回路６２に対しては、データイネーブル信号に基づいて生成された順次書替え信号Ｅ１と輝度制御信号Ｅ２が入力され、同期制御回路６４に対しフレーム周期で順次書き替えられる液晶パネルの分割表示領域に対応してバックライトを点灯するための書替え開始信号を出力する。
【００７２】
切替制御回路６８にはモード切替信号Ｅ４が与えられ、動画対応の同期モードと静止画対応の非同期モードを切り替える。このモード切替信号Ｅ４は図２のパーソナルコンピュータ１０側からコントローラ３０を経由して与えられる。なおテレビチューナ４６によりテレビジョン放送を受信表示する際には、モード切替信号Ｅ４は強制的に同期モードへの切替信号となる。
【００７３】
駆動部３６−２には、図７に示した液晶パネル４０の６つの分割表示領域５０−１〜５０−６に対応して、同じく６つのインバータ電源部７０−１〜７０−６が設けられ、バックライト３８に対し駆動信号Ｅ３１〜Ｅ３６を出力する。
【００７４】
図１０は、図９の駆動部３６−２で駆動するバックライト３８に内蔵した冷陰極管６０−１〜６０−１２の配置説明図である。図１０において、バックライト３８には、図８の組立分解図に示したように１２本の冷陰極管６０−１〜６０−１２が縦方向に並べて配置されている。
【００７５】
冷陰極管６０−１〜６０−１２は２本を一組としてインバータ電源部７０−１〜７０−６からの駆動信号Ｅ３１〜Ｅ３６が与えられ、２本単位に点滅制御される。このためバックライト３８は、冷陰極管６０−１〜６０−１２の右側に示すように、２本単位で６つの発光部７６−１〜７６−６を構成することになる。
【００７６】
図１１は、図９のバックライト制御回路の詳細を示した回路ブロック図である。図１１において、順次信号発生回路６２、非同期制御回路６６、切替制御回路６８及びインバータ電源部７０−１〜７０−６は、図９の実施例と同じであるが、同期制御回路部６４についてその詳細を示している。
【００７７】
同期制御回路６４には図１０のバックライト３８における発光部７６−１〜７６−６に対応して、６つの三角波生成回路７２−１〜７２−６と、比較器７４−１〜７４−６が設けられている。三角波生成回路７２−１〜７２−６に対しては、順次信号発生回路６２に入力する順次書替え信号Ｅ１に基づいて生成した図７の液晶パネル４０における分割表示領域５０−１〜５０−６に対応した画像書替えの開始タイミングを決める書替え開始信号Ｅ０１〜Ｅ０６が入力される。
【００７８】
三角波生成回路７２−１〜７２−６はフレーム周期ごとに書替え開始信号Ｅ０１〜Ｅ０６の入力を順次受けて、三角波信号（鋸歯信号）Ｅ１１〜Ｅ１６を順次、比較器７４−１〜７４−６のプラス入力端子に出力する。比較器７４−１〜７４−６のマイナス入力端子に対しては、比較信号生成回路６５から基準信号Ｅ５が共通に入力されている。
【００７９】
比較信号生成回路６５は平滑回路６５−１を有し、順次信号発生回路６２に対する輝度制御信号Ｅ２を平滑して電圧レベルに変換し、これを基準信号Ｅ５として出力する。輝度制御信号Ｅ２は、フレーム周期ごとに、あるオンデューティを持ったパルス信号であり、オンデューティを変化させることで基準信号Ｅ５の電圧レベルを変化させることができる。
【００８０】
比較器７４−１〜７４−６は、三角波生成回路７２−１〜７２−６から順次出力される三角波信号Ｅ１１〜Ｅ１６と基準信号Ｅ５を比較し、比較器出力信号Ｅ２１〜Ｅ２６をインバータ電源部７０−１〜７０−６に出力する。即ち比較器７４−１〜７４−６は、三角波信号Ｅ１１〜Ｅ１６が基準信号Ｅ５より低い場合は比較器出力信号Ｅ２１〜Ｅ２６はＬレベルにあり、基準信号Ｅ５を超えると比較器出力信号Ｅ２１〜Ｅ２６がＨレベルとなり、これによってインバータ電源部７０−１〜７０−６を順次オンして、バックライト３８の対応する発光部７６−１〜７６−６の冷陰極管を２本単位で順次点灯する。
【００８１】
図１２は、図１１のバックライト制御回路３６による動画対応となる同期モードのタイムチャートである。図１２（Ａ）は垂直同期信号であり、画像表示のフレーム周期を決めており、垂直同期信号の周波数は６０Ｈｚである。図１２（Ｂ）は液晶パネル４０に対する画像表示データの転送に使用されるデータイネーブル信号である。
【００８２】
データイネーブル信号は、垂直同期信号よりやや遅れてコントローラ３０によって、順次生成され、液晶パネル４０の水平走査線方向の描画の基準となる。例えば液晶パネル４０の水平走査線数を７６８本とすると、１本単位にデータイネーブル信号の１クロックによる画像データの転送を行っており、したがって１フレームにおけるデータイネーブル信号のクロック数は７６８クロックとなる。
【００８３】
垂直同期信号が立ち上がってから、データイネーブル信号が送られるまでの時間をバックポーチ幅という。バックポーチ幅は、ディスプレイ装置１２に表示画像データを送出する機器によって決定される。バックポーチ幅は解像度によって異なり、例えば、ＸＧＡの解像度をもつパーソナルコンピュータの場合、２９Ｔｈ（２０．６７μｍ）である。
【００８４】
なお、図１１（Ａ）の＜ＢＰ＞はバックポーチ、＜ＦＢ＞はフロントポーチであり、図１１（Ｂ）については一例として水平同期信号周期Ｈｓを単位として具体的な数値を示している。
【００８５】
図１２（Ｃ）は順次書替え信号Ｅ１であり、データイネーブル信号を６分の１に分周することにより生成して、図２のコントローラ３０からバックライト制御回路３６に供給している。この順次切替信号Ｅ１は垂直同期信号で決まる１フレーム周期内で図７の液晶パネル４０の６つの分割表示領域５０−１〜５０−６に対応して、１〜６の数字で示す６つのパルス信号を出力している。
【００８６】
図１２（Ｄ）〜（Ｉ）は、インバータ電源部７０−１〜７０−６からの駆動信号Ｅ３１〜Ｅ３６により駆動される図１０のバックライト３８における発光部７６−１〜７６−６のバックライトのオフ、オンの点滅状態である。例えば図１２（Ｄ）の発光部７６−１を見ると、順次書替え信号Ｅ１の最初のパルスの立ち上がりに同期して発光部７６−１はオフとなり、順次書替え信号Ｅ１の４パルス目の立ち上がり近傍でオンし、次のフレーム周期における最初のパルスの立ち上がりでオフとなり、これを繰り返している。
【００８７】
ここでフレーム周期はＴ１であり、フレーム周期Ｔ１の前半がオフとなり、後半のオン時間Ｔｏｎの間、点灯している。このため、発光部７６−１のフレーム周期における点灯時間を決めるオンデューティは（Ｔｏｎ／Ｔ１）となる。
【００８８】
フレーム周期におけるオン時間Ｔｏｎは、後の説明で明らかにするように、図１１の比較信号生成回路６５に対する輝度制御信号Ｅ２に応じて変化する。本発明の実施形態にあっては、輝度制御信号Ｅ２によってバックライト点灯のためのオンデューティを０．１〜０．９の範囲で調整することができる。
【００８９】
図１２（Ｅ）〜（Ｉ）の残りの発光部７６−２〜７６−６については、順次書替え信号Ｅ１の２パルス目、３パルス目、４パルス目、５パルス目、６パルス目の立ち上がりに同期して、３パルス目でオンとなり、次のフレーム周期における順次切替信号Ｅ１の同じ２パルス目、３パルス目、４パルス目、５パルス目、６パルス目の立ち上がりでオフとなっている。
【００９０】
図１３は、データイネーブル信号に同期した順次書替え信号Ｅ１から生成される書替え開始信号Ｅ０１〜Ｅ０６のタイムチャートである。図１３において、（Ａ）の垂直同期信号、（Ｂ）のデータイネーブル信号、更に（Ｄ）の順次書替え信号Ｅ１は、図１２のタイムチャートと同じである。また図１３（Ｃ）には輝度制御信号Ｅ２を示しており、このオンデューティにより動画対応の同期モードにおける液晶パネルの明るさを制御することができる。
【００９１】
図１３（Ｄ）の順次書替え信号Ｅ１を入力した図１１の順次信号発生回路６２は、図１３（Ｅ）〜（Ｊ）に示すように、それぞれの立ち上がりに同期して書替え開始信号Ｅ０１〜Ｅ０６を順次出力する。この書替え開始信号Ｅ０１〜Ｅ０６は図１１の同期制御回路６４に設けた三角波生成回路７２−１〜７２−６に入力され、一定の傾きを持つ三角波信号Ｅ１１〜Ｅ１６を順次出力する。
【００９２】
図１４は、図１３の書替え開始信号に基づいて生成するバックライト点滅制御信号のタイムチャートであり、図１３（Ｅ）の書替え開始信号Ｅ０１に基づくインバータ電源部７０−１による発光部７６−１の点滅制御を例に取っている。
【００９３】
図１４（Ａ）の垂直同期信号、（Ｃ）の順次書替え信号Ｅ１及び（Ｄ）の書替え開始信号Ｅ０１は、図１３と同じである。図１４（Ｅ）は図１１の三角波生成回路７２−１から出力される三角波信号Ｅ１１であり、書替え開始信号Ｅ０１の立ち上がりのタイミングで三角波信号Ｅ１１のリセットスタートが行われ、一定勾配で出力レベルが増加する。三角波信号Ｅ１１は図１１の比較器７４−１のプラス入力端子に入力され、一方、比較器７４−１には、そのときの輝度制御信号Ｅ２の平滑で得られたレベルをもつ基準信号Ｅ５が入力している。
【００９４】
このため、三角波信号Ｅ１１が基準信号Ｅ５に達した時刻ｔ１のタイミングで、図１４（Ｆ）のように比較器出力信号Ｅ２１がＨレベルとなり、インバータ電源部７０−１を動作し、駆動信号Ｅ３１をバックライト３８に出力し、図１０における発光部７６−１に含まれる２本の冷陰極管６０−１，６０−２を点灯駆動する。
【００９５】
三角波信号Ｅ１１は、次のフレーム周期で書替え開始信号Ｅ０１が立ち上がるとリセットスタートされ、これにより比較器出力信号Ｅ２１はＬレベルとなって発光部７６−１が消灯する。
【００９６】
動画対応時の液晶パネル画面の明るさは、図１３（Ｃ）の輝度制御信号Ｅ２のオンデューティを増加させると、図１４（Ｅ）における基準信号Ｅ５のレベルが減少し、発光部のオン時間Ｔｏｎが長くなり、これによって画面の明るさが上昇する。一方、図１３（Ｃ）の輝度制御信号Ｅ２のオンデューティを小さくすれば、図１４（Ｅ）の基準信号Ｅ５が増加し、発光部におけるオン時間Ｔｏｎ減少することで画面の明るさを下げることができる。
【００９７】
この図１２〜図１４のタイムチャートから明らかなように、動画対応となる同期モードでのバックライトの点滅制御にあっては、データイネーブル信号の分周により得られた順次書替え信号Ｅ１に基づく書替え開始信号Ｅ０１〜Ｅ０６に同期してフレーム周期の前半でバックライトが消灯し、後半でバックライトが点灯する点滅制御が行われることで、液晶パネルにおける分割表示領域５０−１〜５０−６の画像書替えに適切に同期し、且つ書替えによる画像変化が収まるフレーム周期の後半のタイミングでバックライトが点灯することで、動画表示の際の残像を低減して動画品質を向上することができる。
【００９８】
また、同期モードにおけるバックライトの点灯制御を、垂直同期信号によらず、液晶パネルに対するデータ転送のデータイネーブル信号を分周して得た順次書替え信号により同期を取って点滅制御しているため、液晶パネルの分割表示領域の書替えに適切に同期した残像防止のためのバックライト点滅制御ができる。また、データイネーブル信号に基づいた同期によるバックライトの点滅制御であることから、垂直同期信号に対し同期を取る場合に比べ、データイネーブル信号の単純な分周により同期が得られることで、回路構成を簡単にすることができる。
【００９９】
図１５は、図１１のバックライト制御回路３６に設けた非同期制御回路６６による静止画対応の非同期モードのバックライト点滅動作のタイムチャートである。図１５（Ａ）は非同期点滅制御信号Ｅ６であり、フレーム周期を与える垂直同期信号やデータイネーブル信号との同期は取られておらず、ディスプレイ装置１２で使用しているクロックに基づき、予め定めた一定周波数Ｔ２を持つ信号を使用している。
【０１００】
非同期点滅制御信号Ｅ６は信号周期Ｔ２の前半のオン時間Ｔｏｎに同期して、図１５（Ｂ）〜（Ｇ）のように発光部７６−１〜７６−６を一斉に点灯し、残りのオフ時間で一斉に消灯させる点滅制御を繰り返している。
【０１０１】
本発明の非同期点滅制御信号Ｅ６の周波数としては、フレーム周波数ｆの２倍周波数３ｆと４倍周波数４ｆとの加算平均周波数ｆ２を使用している。ここでフレーム周波数ｆはｆ＝６０Ｈｚであることから、非同期点滅制御信号Ｅ６の周波数ｆ２は
ｆ２＝（２ｆ＋３ｆ）／２＝２１０Ｈｚ
となる。
【０１０２】
静止画表示の際の非同期モードにおけるバックライト３８の駆動周波数２１０Ｈｚによれば、静止画表示状態で液晶パネルの表示画面にフレーム周波数の定倍周波数に起因して発生する縞模様を抑えることができる。
【０１０３】
なお、非同期点滅制御信号Ｅ６の周波数ｆ２としては、一般的には、ｎを整数１，２，３，４，５・・・・とした場合、フレーム周波数ｆのｎ倍の周波数ｎｆと（ｎ＋１）倍の周波数（ｎ＋１）ｆとの加算平均周波数であればよく、ｎ＝２であればｆ２＝１５０Ｈｚ、ｎ＝４であればｆ２＝２７０Ｈｚ、ｎ＝６であればｆ２＝３３０Ｈｚというように整数ｎに応じた適宜の周波数を選択できる。
【０１０４】
図１５の非同期モードにおける液晶パネル表示画面の明るさ調整については、図１１の非同期制御回路６６に対する輝度制御信号Ｅ３によりオン時間Ｔｏｎ、即ち非同期点滅制御信号Ｅ６のオンデューティを変化させることで、静止画表示状態の明るさを調整できる。本発明の実施形態にあっては、非同期点滅制御信号Ｅ６のオンデューティを例えば０．２５〜０．９８の範囲で変化させて、画面の明るさを調整する。
【０１０５】
なお、図７〜図１５に示した本発明のディスプレイ装置における動画対応の同期モードにおけるバックライト点滅制御と静止画対応の非同期モードにおけるバックライト点灯制御は、図２に示したパーソナルコンピュータ１０に使用されるディスプレイ装置１２に限定されず、液晶パネルを表示デバイスとした適宜のディスプレイ装置にそのまま適用することができる。
【０１０６】
なお本発明は、その目的と利点を損なうことのない適宜の変形を含み、更に上記の実施形態に示した数値による限定は受けない。
【０１０７】
ここで本発明の特徴を列挙すると次の付記のようになる。
（付記１）
分割された複数の表示領域を順次書き替える表示装置を照射し、分割された複数の発光領域を持つ発光装置を制御する発光制御装置において、
前記表示領域の書き替え開始に応じて、前記発光領域を順次点灯する制御を開始する発光制御部を備えることを特徴とする発光制御装置。（１）
【０１０８】
（付記２）
付記1記載の発光制御装置において、前記表示装置が表示する画像が動画であることを特徴とする発光制御装置。（２）
【０１０９】
（付記３）
付記2記載の発光制御装置において、前記表示装置が表示する画像が動画でない場合は、所定の周波数に応じて前記複数の発光領域を同時に点灯制御することを特徴とする発光制御装置。（３）
【０１１０】
（付記４）
付記1記載の発光制御装置において、各発光領域が対応する複数の表示領域の画像変化が収まった後に、前記発光領域を点灯制御することを特徴とする発光制御装置。（４）
【０１１１】
（付記５）
付記１記載の発光制御装置において、表示装置の明るさを、各発光領域の点灯時間で調整することを特徴とする発光制御装置。（５）
【０１１２】
（付記６）
付記１記載の発光制御装置において、前記表示領域の書き替え信号から、各発光領域の点灯制御の基準となる順次書替え信号を生成することを特徴とする発光制御装置。（６）
【０１１３】
（付記７）
付記６記載の発光制御装置において、前記順次書替え信号の所定の変化時には、対応する前記発光領域を消灯し、設定した一定時間後に点灯する制御を行うことを特徴とする発光制御装置。（７）
【０１１４】
（付記８）
分割された複数の表示領域を順次書き替える表示部と、分割された'数の発光領域を持ち、前記表示部を照射する発光部をもつ表示装置において、
前記表示領域の書き替え開始に応じて、前記発光領域を順次点灯する制御を開始する発光制御部を備えることを特徴とする表示装置。（８）
【０１１５】
（付記９）
付記8記載の表示装置において、表示する画像が動画であることを特徴とする表示装置。
【０１１６】
（付記１０）
付記９記載の表示装置において、表示する画像が動画でない場合は、所定の周波数に応じて前記の発光領域を同時に点灯制御することを特徴とする表示装置。
【０１１７】
（付記１１）
付記8記載の表示装置において、各発光領域が対応する複数の表示領域の画像変化が収まった後に、前記発光領域を点灯制御することを特徴とする表示装置。
【０１１８】
（付記１２）
付記8記載の表示装置において、表示装置の明るさを、各発光領域の点灯時間で調整することを特徴とする表示装置。
【０１１９】
（付記１３）
付記8記載の表示装置において、前記表示領域の順次書替え信号から、各発光領域の点灯制御信号を生成することを特徴とする表示装置。
【０１２０】
（付記１４）
付記１１記載の表示装置において、前記順次書替え信号の所定の変化時には、対応する前記発光領域を消灯し、設定した一定時間後に点灯する制御を行うことを特徴とする表示装置。
【０１２１】
（付記１５）
複数の処理を実行し、かつ表示装置を制御して画像を表示する情報装置において、
実行中の処理の中から、前記表示装置に動画を表示する動画処理を検出する動画処理出部と、
前記動画処理検出部が動画表示を検出した場合には、前記表示装置にちらつきの少ない表示制御を指示する表示制御部と、
を備えることを特徴とする情報装置。（９）
【０１２２】
（付記１６）
付記１５記載の情報装置において、前記動画処理の表示状態を監視する画面状態監視部をさらに備え、前記動画処理の表示が一定以上の大きさのときに、前記表示装置にちらつきの少ない表示制御を指示することを特徴とする情報装置。
【０１２３】
（付記１７）
付記１５記載の情報装置において、
前記動画処理の表示と前記表示装置の表示領域の大きさが同じときに、前記表示装置にちらつきの少ない表示制御を指示することを特徴とする情報装置。
【０１２４】
（付記１８）
付記１５記載の情報装置において、
前記表示制御は、ＶＥＳＡ規格によって規定されるＤＤＣ−２ｂｌ規格に準じて指示することを特徴とする情報装置。
【０１２５】
（付記１９）
複数の処理を実行し、かつ表示装置を制御して画像を表示する情報制御装置において、
実行中の処理の中から、前記表示装置に動画を表示する動画処理を検出する動画処理出部と、
前記動画処理検出部が動画表示を検出した場合には、前記表示装置にちらつきの少ない表示制御を指示する表示制御部と、
を備えることを特徴とする情報制御装置。
【０１２６】
（付記２０）
付記１９記載の情報制御装置において、前記動画処理の表示状態を監視する画面状態監視部をさらに備え、前記動画処理の表示が一定以上の大きさのときに、前記表示装置にちらつきの少ない表示制御を指示することを特徴とする情報制御装置。
【０１２７】
（付記２１）
付記１９記載の情報制御装置において、
前記動画処理の表示と前記表示装置の表示領域の大きさが同じときに、前記表示装置にちらつきの少ない表示制御を指示することを特徴とする情報装置。
【０１２８】
（付記２２）
付記１９記載の情報制御装置において、
前記表示制御は、ＶＥＳＡ規格によって規定されるＤＤＣ−２ｂｌ規格に準じて指示することを特徴とする情報装置。
【０１２９】
（付記２３）
コンピュータに、
実行中の処理の中から、表示装置に動画を表示する動画処理を検出する動画処理出部と、
前記動画処理検出部が動画表示を検出した場合には、前記表示装置にちらつきの少ない表示制御を指示する表示制御部と、
を実行させるための表示制御プログラム。（１０）
【０１３０】
（付記２４）
付記２３記載のプログラムにおいて、前記動画処理の表示状態を監視する画面状態監視部をさらに備え、前記動画処理の表示が一定以上の大きさのときに、前記表示装置にちらつきの少ない表示制御を指示することを特徴とするプログラム。
【０１３１】
（付記２５）
付記２３記載のプログラムにおいて、
前記動画処理の表示と前記表示装置の表示領域の大きさが同じときに、前記表示装置にちらつきの少ない表示制御を指示することを特徴とするプログラム。
【０１３２】
（付記２６）
付記２３記載のプログラムにおいて、
前記表示制御は、ＶＥＳＡ規格によって規定されるＤＤＣ−２ｂｌ規格に準じて指示することを特徴とするプログラム。
【図面の簡単な説明】
【０１３３】
【図１】本発明の原理説明図
【図２】本発明による画像表示装置の実施形態となる機能構成のブロック図
【図３】本発明が適用されるコンピュータのハードウェア環境の説明図
【図４】ＶＥＳＡ規格で規定される２Ｂｉ規格のコマンドセットの説明図
【図５】本発明で使用するコマンドを含むＡＰＩのウィンドウ情報用のコマンド説明図
【図６】本発明による画像監視処理のフローチャート
【図７】本発明で使用するディスプレイ装置の組立分解図
【図８】図７のバックライトの組立分解図
【図９】図２のバックライト制御回路のブロック図
【図１０】図９の駆動部で駆動するバックライトに内蔵した冷陰極管の配置説明図
【図１１】図９のバックライト制御回路の詳細を示した回路ブロック図
【図１２】図１１のバックライト制御回路による動画対応の同期モードのタイムチャート
【図１３】データイネーブル信号に同期した順次書替え信号から生成される書替開始信号のタイムチャート
【図１４】書替開始信号に基づいて生成するバックライトの点滅制御信号のタイムチャート
【図１５】図１１のバックライト制御回路による静止画対応の非同期モードのタイムチャート
【符号の説明】
【０１３４】
１０：パーソナルコンピュータ
１２：ディスプレイ装置
１４：ディスプレイコネクトケーブル
１５：ＯＳ
１６，１６−１，１６−２：動画アプリケーション
１８：グラフィックコントローラ
２０，２８：通信インターフェース
２２：画像監視部
２４：動画処理検出部
２６：画面状態監視部
３０：コントローラ
３２：Ａ／Ｄコンバータ
３４：液晶ユニット
３６：バックライト制御回路
３６−１：制御部
３６−２：駆動部
３８：バックライト
４０：液晶パネル
４２：ディスプレイ制御信号
４４：ＲＧＢ信号
４６：テレビチューナ
４８：テレビアンテナ
５０−１〜５０−６：分割表示領域
５２：フレーム
５４：拡散板
５６：本体
６０−１〜６０−１２：冷陰極管
６２：順次信号発生回路
６４：同期制御回路
６５：比較信号生成回路
６５−１：平滑回路
６６：非同期制御回路
６８：切替制御回路
７０−１〜７０−６：インバータ電源部
７２−１〜７２−６：三角波生成回路
７４−１〜７４−６：比較器
７６−１〜７６−６：発光部
【図１】
2005195734.tif 000003
【図２】
2005195734.tif 000004
【図３】
2005195734.tif 000005
【図４】
2005195734.tif 000006
【図５】
2005195734.tif 000007
【図６】
2005195734.tif 000008
【図７】
2005195734.tif 000009
【図８】
2005195734.tif 000010
【図９】
2005195734.tif 000011
【図１０】
2005195734.tif 000012
【図１１】
2005195734.tif 000013
【図１２】
2005195734.tif 000014
【図１３】
2005195734.tif 000015
【図１４】
2005195734.tif 000016
【図１５】
2005195734.tif 000017